(57)【特許請求の範囲】
【請求項１】
筐体を区画壁により第１チャンバおよび第２チャンバに区画し、前記第１チャンバには蒸発器が収容され、前記第２チャンバには凝縮器が収容され、前記蒸発器から導管を介して圧縮機により冷媒を前記凝縮器に圧送することで冷媒を循環させ、前記蒸発器で冷却した空気を盤内に送風する盤用クーラにおいて、
筐体の底部に複数本の板状の支柱を立設し、
前記板状の各支柱の内側面が前記圧縮機の外周面に対面するように配置され、
前記板状の各柱の内側面および外側面に、それぞれ、ゴム板からなる第１および第２緩衝部材が固着され、
前記複数本の板状の支柱の内側に前記圧縮機が落とし込まれて前記板状の支柱と圧縮機との間に前記第１緩衝部材が介挿され、
前記支柱が周囲から前記圧縮機に前記第１緩衝部材を介して圧接するように前記第２緩衝部材の外側からバンドを巻回して前記支柱および圧縮機を締結したことを特徴とする盤用クーラにおける圧縮機の固定構造。
【請求項２】
請求項１において、
前記圧縮機の底面が緩衝部材を介して支持されている盤用クーラにおける圧縮機の固定構造。
【請求項３】
請求項２において、
前記板状の支柱が４本である圧縮機の固定構造。
【請求項４】
請求項３において、
前記板状の支柱の上端部が外側に向かって曲成されている圧縮機の固定構造。
【発明の詳細な説明】
【０００１】
【発明の属する技術分野】
本発明は、制御盤などを冷却する盤用クーラにおける圧縮機の固定構造に関するものである。
【０００２】
【従来の技術】
従来より、圧縮機によって冷媒を蒸発器から導管を介して凝縮器に圧送することで冷媒を循環させて蒸発器の周囲を冷却する盤用クーラが知られている。この種の盤用クーラでは、冷却対象である制御盤等が小さい場合には、クーラ自体を小型化することが重要である。クーラを小型化する手段としては、圧縮機本体から外方に突出した脚部（台座）を取り除いて圧縮機を筐体内に設置することがなされている。この場合、圧縮機の周囲をバンドで固定して筐体に設置する。
【０００３】
【発明が解決しようとする課題】
しかし、圧縮機は振動の発生源であるため、このようにバンドで圧縮機を固定したのでは、圧縮機の振動がそのまま制御盤に伝わる。
【０００４】
したがって、本発明の目的は、圧縮機の振動を減衰し得ると共に振動が制御盤に伝わりにくい盤用クーラにおける圧縮機の固定構造を提供することである。
【０００５】
【課題を解決するための手段】
前記目的を達成するために、本発明は、筐体を区画壁により第１チャンバおよび第２チャンバに区画し、前記第１チャンバには蒸発器が収容され、前記第２チャンバには凝縮器が収容され、前記蒸発器から導管を介して圧縮機により冷媒を前記凝縮器に圧送することで冷媒を循環させ、盤内から取り込んだ空気を前記蒸発器で冷却し、該冷却空気を盤内に送風する盤用クーラにおいて、筐体の底部に複数本の支柱を立設し、前記複数本の支柱の内側に前記圧縮機を落とし込み、前記支柱が周囲から前記圧縮機に圧接するように前記支柱の外側からバンドを巻回して前記支柱および圧縮機を締結したことを特徴とする。
【０００６】
前記第２チャンバに取り込まれた外気は、前記凝縮器内の冷媒の熱エネルギーを吸収し排出される。一方、前記第１チャンバでは、盤内から取り込まれた暖気が、前記蒸発器内の前記熱エネルギーを吸収された冷媒により、冷却されて再び盤内に送り込まれる。こうして、盤内を冷却することができる。
【０００７】
本発明において、「区画し」とは、第１チャンバ内の空気と第２チャンバ内の空気とが互いに循環しない程度に区画するという意味であり、たとえば、ドレンパン等が配設される隙間や孔が前記区画壁に形成されていてもよい。
「圧縮機」は、一般に、第２チャンバに収容されているのが好ましい。しかし、本発明は圧縮機の配設位置を限定するものではなく、たとえば、第１チャンバ内に配設されていてもよい。
また、「盤」には、いわゆる制御盤の他に、制御盤および操作面を設けたコントローラなどを含む。
【０００８】
【発明の実施の形態】
以下、本発明の一実施形態を図面にしたがって説明する。
まず、図１を用いて、本盤用クーラ１による冷却システムについて簡単に説明する。
圧縮機３は、蒸発器４において気体となった冷媒を、導管５を介して凝縮器６に圧送し、さらに、凝縮器６から膨張弁７に圧送して、循環させる。この際、冷媒は凝縮器６および膨張弁７において、徐々に液化する。前記膨張弁７は、破線で示す極めて細い管からなる。冷媒は、膨張弁７から出て、蒸発器４内の比較的太い管内で低圧となって、再び気化することにより、蒸発器４の周囲の熱を奪い、周囲温度を低下させる。したがって、第１ファン１１により、制御盤（図示せず）内の暖気が取込孔から第１チャンバ９内に取り込まれ蒸発器４を通ると、暖気が蒸発器４で冷却されて、冷気が制御盤内に送り込まれる。一方、第２チャンバ１０内に設けた凝縮器６においては、冷媒が圧縮されて高温になるのに対し、ファン１２により、凝縮器６に外気を通すことで、冷媒の温度を低下させている。
なお、筐体８は第１チャンバ９と第２チャンバ１０とを区画している。
【０００９】
つぎに、本発明の要部について説明する。
図２に示すように、圧縮機３は、筐体８の底部の底板２０上に設置されている。図３に示すように、前記底板２０上には、たとえば４本の板状の支柱２１が立設されている。前記各支柱２１の内側および外側には、それぞれ、ゴム板からなる第１および第２緩衝部材３１，３２が固着されている。また、前記底板２０上には、略円形のゴム板からなる第３緩衝部材３３が設置される。前記圧縮機３は、前記第３緩衝部材３３と共に、図２のように、前記４本の支柱２１の内側に落とし込まれるように配置される。
なお、支柱２１の上端部２２は、圧縮機３を下方に落とし込み易いように外側に向けて曲成してある。
【００１０】
図２に示すように、圧縮機３は、バンド４０およびバンド締結具４１によって、前記支柱２１に固定されている。すなわち、各支柱２１が周囲から圧縮機３に第１緩衝部材３１を介して圧接するように第２緩衝部材３２の外側からバンド４０を巻回して、バンド４０により支柱２１および圧縮機３を締結する。
なお、バンド４０は、ネジ４２を回転することにより、バンド締結具４１において締結力を発揮することができるようになっている。
【００１１】
なお、支柱２１の下端部はゴムなどの緩衝部材を介して、底板２０に固定するのが好ましい。
【００１２】
【発明の効果】
本発明によれば、圧縮機の下部において外側へ突出する脚部（台座）を取り外したので、省スペース化を図ることができるから、クーラの小型化を図ることができる。
しかも、圧縮機をバンドにより複数本の支柱の内側に固定したので、圧縮機の振動が支柱から底板を介して伝達されるうちに減衰すると共に振動が制御盤に伝わりにくくなる。
【００１３】
また、支柱と圧縮機との間や、支柱とバンドとの間に緩衝部材を設けることにより、前記振動減衰の効果を高めることができる。
【００１４】
また、圧縮機の底面に緩衝部材を配設することによっても振動減衰の効果を高めることができる。
【図面の簡単な説明】
【図１】本発明にかかる一般的な盤用クーラの概略構成図である。
【図２】本発明の一実施形態にかかる盤用クーラにおける圧縮機の固定構造を示す斜視図である。
【図３】同分解斜視図である。
【符号の説明】
１：盤用クーラ
３：圧縮機
４：蒸発器
５：導管
６：凝縮器
８：筐体
９：第１チャンバ
１０：第２チャンバ
２１：支柱
３１：第１緩衝部材
３２：第２緩衝部材
３３：第３緩衝部材
４０：バンド
【図１】
0004355080.tif 000002
【図２】
0004355080.tif 000003
【図３】
0004355080.tif 000004